(57)【特許請求の範囲】
【請求項１】
サーバ、および表示装置と通信する端末装置であって、
前記端末装置の現在位置情報を取得し、前記現在位置情報を含む代替表示先リスト要求を前記サーバに送信し、前記サーバから前記現在位置から所定の距離にある表示装置のリストを示す代替表示先リストを受信し、前記表示装置と前記端末装置との装置間距離に基づいて代替表示先となる表示装置（以下、代替表示装置という）を前記代替表示先リストに示された表示装置のうちから選択して決定する代替表示先探索部と、
近距離無線通信により前記表示装置に測距用信号要求信号を送信し、前記表示装置が送信した測距用信号を受信して、前記測距用信号の電界強度を測定し、前記電界強度に基づいて前記装置間距離を推定するＭＥ近距離無線通信部と、
前記代替表示装置と通信状態を確立し、前記端末装置に予め定めたイベントが発生した場合に、当該イベントの発生を通知するイベント情報を前記代替表示装置に送信するＭＥネットワーク接続部と、
前記端末装置、または前記代替表示装置、または前記発生イベントの状態を示すパラメータを取得して、当該パラメータに基づいて前記代替表示装置への表示内容を決定する代替表示指示決定部と、
前記表示内容を含む表示指示を前記代替表示装置に送信する代替表示指示送信部とを備え、
前記端末装置の状態を示すパラメータとして前記端末装置の加速度情報を含み、
前記代替表示指示決定部が、
前記加速度情報を取得する加速度センサと、
前記取得した加速度情報から前記端末装置の移動状態を判定する移動状態判定手段と、
前記判定した移動状態に基づいて前記代替表示装置への表示内容を決定する代替表示内容決定手段と、
を備えることを特徴とする端末装置。
【請求項２】
サーバ、および表示装置と通信する端末装置であって、
前記端末装置の現在位置情報を取得し、前記現在位置情報を含む代替表示先リスト要求を前記サーバに送信し、前記サーバから前記現在位置から所定の距離にある表示装置のリストを示す代替表示先リストを受信し、前記表示装置と前記端末装置との装置間距離に基づいて代替表示先となる表示装置（以下、代替表示装置という）を前記代替表示先リストに示された表示装置のうちから選択して決定する代替表示先探索部と、
近距離無線通信により前記表示装置に測距用信号要求信号を送信し、前記表示装置が送信した測距用信号を受信して、前記測距用信号の電界強度を測定し、前記電界強度に基づいて前記装置間距離を推定するＭＥ近距離無線通信部と、
前記代替表示装置と通信状態を確立し、前記端末装置に予め定めたイベントが発生した場合に、当該イベントの発生を通知するイベント情報を前記代替表示装置に送信するＭＥネットワーク接続部と、
前記代替表示装置付近の状況を示す動画情報を受信するカメラ情報受信部と、
前記動画情報に人間が存在しているか否かを示すパラメータを取得して、当該パラメータに基づいて前記代替表示装置への表示内容を決定する代替表示指示決定部と、
前記表示内容を含む表示指示を前記代替表示装置に送信する代替表示指示送信部と、
を備えることを特徴とする端末装置。
【請求項３】
サーバと、端末装置と、表示装置とからなる情報表示システムであって、
前記端末装置は、
前記端末装置の現在位置情報を取得し、前記現在位置情報を含む代替表示先リスト要求を前記サーバに送信し、前記サーバから前記現在位置から所定の距離にある表示装置のリストを示す代替表示先リストを受信し、前記表示装置と前記端末装置との装置間距離に基づいて代替表示先となる表示装置（以下、代替表示装置という）を前記代替表示先リストに示された表示装置のうちから選択して決定する代替表示先探索部と、
近距離無線通信により前記表示装置に測距用信号要求信号を送信し、前記表示装置が送信した測距用信号を受信して、前記測距用信号の電界強度を測定し、前記電界強度に基づいて前記装置間距離を推定するＭＥ近距離無線通信部と、
前記代替表示装置と通信状態を確立し、前記端末装置に予め定めたイベントが発生した場合に、当該イベントの発生を通知するイベント情報を前記代替表示装置に送信するＭＥネットワーク接続部と、
前記端末装置、または前記代替表示装置、または前記発生イベントの状態を示すパラメータを取得して、当該パラメータに基づいて前記代替表示装置への表示内容を決定する代替表示指示決定部と、
前記表示内容を含む表示指示を前記代替表示装置に送信する代替表示指示送信部と、
を備え、
前記サーバは、
前記表示装置とその設置位置を記憶する代替表示先データベースと、
前記代替表示先リスト要求を受信する代替表示先リスト要求受信部と、
前記現在位置情報に基づいて、前記代替表示先データベースから代替表示先リストを選び出すリスト生成部と、
前記代替表示先リストを送信する代替表示先リスト送信部と、
を備え、
前記表示装置は、
前記測距用信号要求信号を受信し、前記測距用信号を送信するＤＰ近距離無線通信部と、
前記端末装置と通信状態を確立し、前記端末装置からイベント情報を受信するＤＰネットワーク接続部と、
前記表示指示を受信する代替表示指示受信部と、
前記表示指示に基づいて、前記イベント情報に関する表示データを生成する画面制御部と、
前記表示データを表示する表示部とを備え、
前記端末装置の状態を示すパラメータとして前記端末装置の加速度情報を含み、
前記代替表示指示決定部が、
前記加速度情報を取得する加速度センサと、
前記取得した加速度情報から前記端末装置の移動状態を判定する移動状態判定手段と、
前記判定した移動状態に基づいて前記代替表示装置への表示内容を決定する代替表示内容決定手段と、
を備えることを特徴とする情報表示システム。
【請求項４】
サーバと、端末装置と、表示装置とからなる情報表示システムであって、
前記端末装置は、
前記端末装置の現在位置情報を取得し、前記現在位置情報を含む代替表示先リスト要求を前記サーバに送信し、前記サーバから前記現在位置から所定の距離にある表示装置のリストを示す代替表示先リストを受信し、前記表示装置と前記端末装置との装置間距離に基づいて代替表示先となる表示装置（以下、代替表示装置という）を前記代替表示先リストに示された表示装置のうちから選択して決定する代替表示先探索部と、
近距離無線通信により前記表示装置に測距用信号要求信号を送信し、前記表示装置が送信した測距用信号を受信して、前記測距用信号の電界強度を測定し、前記電界強度に基づいて前記装置間距離を推定するＭＥ近距離無線通信部と、
前記代替表示装置と通信状態を確立し、前記端末装置に予め定めたイベントが発生した場合に、当該イベントの発生を通知するイベント情報を前記代替表示装置に送信するＭＥネットワーク接続部と、
前記代替表示装置付近の状況を示す動画情報を受信するカメラ情報受信部と、
前記動画情報に人間が存在しているか否かを示すパラメータを取得して、当該パラメータに基づいて前記代替表示装置への表示内容を決定する代替表示指示決定部と、
前記表示内容を含む表示指示を前記代替表示装置に送信する代替表示指示送信部と、
を備え、
前記サーバは、
前記表示装置とその設置位置を記憶する代替表示先データベースと、
前記代替表示先リスト要求を受信する代替表示先リスト要求受信部と、
前記現在位置情報に基づいて、前記代替表示先データベースから代替表示先リストを選び出すリスト生成部と、
前記代替表示先リストを送信する代替表示先リスト送信部と、
を備え、
前記表示装置は、
前記測距用信号要求信号を受信し、測距用信号を送信するＤＰ近距離無線通信部と、
前記端末装置と通信状態を確立し、前記端末装置からイベント情報を受信するＤＰネットワーク接続部と、
前記表示装置付近の動画情報を取得するカメラと、
自身が代替表示装置である場合に、前記動画情報を前記端末装置に送信するカメラ情報送信部と、
前記表示指示を受信する代替表示指示受信部と、
前記表示指示に基づいて、前記イベント情報に関する表示データを生成する画面制御部と、
前記表示データを表示する表示部と、
を備えることを特徴とする情報表示システム。
【請求項５】
端末装置を請求項１または２に記載の端末装置として機能させるためのプログラム。
【発明の詳細な説明】
【技術分野】
【０００１】
本発明は、端末装置に発生したイベントに関する情報を、端末装置と異なる装置のディスプレイに表示する端末装置、情報表示システム、プログラムに関する。
【背景技術】
【０００２】
携帯機器に送信される情報を、街頭に設置された公衆ディスプレイ装置に転送して、転送した情報を公衆ディスプレイ装置に表示させる技術が開示されている。例えば、特許文献１は、携帯性確保のために携帯機器の画面の解像度が高くできないことにより、ユーザが多種多様な情報を携帯機器の表示画面で閲覧しようとするときに、ユーザ所望の状態で閲覧することができない課題を解決することを目的としている。特許文献１では、まず、街頭に高解像度の公衆ディスプレイ装置を設置する。公衆ディスプレイ装置はネットワークと高速に接続されている。公衆ディスプレイ装置は近距離にある携帯機器と赤外線などで無線通信が可能である。携帯機器は公衆ディスプレイ装置のネットワークアドレスを無線通信によって取得し、ゲートウェイサーバへ携帯機器のネットワークアドレスとともに送信する。ゲートウェイサーバは、携帯機器へ送信される情報を公衆ディスプレイ装置へ転送する。
【先行技術文献】
【特許文献】
【０００３】
【特許文献１】特開２００３−２２２２７号公報
【発明の概要】
【発明が解決しようとする課題】
【０００４】
特許文献１の技術を用いて携帯機器のデータを表示する場合、表示するデータが携帯機器のユーザのプライバシーに関わる情報であることも多く、公衆ディスプレイ装置に表示すべき情報と、表示すべきでない情報の区別が難しい。例えば特許文献１の技術に類似するシステムの実装例においては、携帯機器のユーザが自ら外部ディスプレイに送信するデータを選択したり、表示可能な情報の種別を制限することなどで、他人の目に触れては困る情報を表示させないようにしている。
【０００５】
しかしながら、外部ディスプレイへの情報表示の可否判断を逐一ユーザが行わなくてはならないのはユーザにとって煩雑である。また、上記のシステムでは、ユーザ自らが情報表示の可否判断を行う処理手順となっているために、ユーザにメール受信や着信情報を気付かせるために外部ディスプレイへの代替表示を活用することは不可能である。そこで本発明では、ユーザ判断を介さずに表示内容を最適化した情報を別の装置に代替表示させることができる端末装置を提供することを目的とする。
【課題を解決するための手段】
【０００６】
本発明の端末装置はサーバ、および表示装置と通信することを特徴とし、代替表示先探索部と、ＭＥ近距離無線通信部と、ＭＥネットワーク接続部と、代替表示指示決定部と、代替表示指示送信部とを備える。
【０００７】
代替表示先探索部は、端末装置の現在位置情報を取得し、現在位置情報を含む代替表示先リスト要求をサーバに送信し、サーバから現在位置から所定の距離にある表示装置のリストを示す代替表示先リストを受信し、表示装置と端末装置との装置間距離に基づいて代替表示先となる表示装置（以下、代替表示装置という）を代替表示先リストに示された表示装置のうちから選択して決定する。ＭＥ近距離無線通信部は、近距離無線通信により表示装置に測距用信号要求信号を送信し、表示装置が送信した測距用信号を受信して、測距用信号の電界強度を測定し、電界強度に基づいて装置間距離を推定する。ＭＥネットワーク接続部は、代替表示装置と通信状態を確立し、端末装置に予め定めたイベントが発生した場合に、当該イベントの発生を通知するイベント情報を代替表示装置に送信する。代替表示指示決定部は、端末装置、または代替表示装置、または発生イベントの状態を示すパラメータを取得して、当該パラメータに基づいて代替表示装置への表示内容を決定する。代替表示指示送信部は、表示内容を含む表示指示を代替表示装置に送信する。
【発明の効果】
【０００８】
本発明の端末装置によれば、ユーザ判断を介さずに表示内容を最適化した情報を別の装置に代替表示させることができる。
【図面の簡単な説明】
【０００９】
【図１】本発明の情報表示システムの概略を示す図。
【図２】本発明の情報表示システムに用いられる表示装置の例を示す図。
【図３】実施例１およびその変形例の情報表示システムの構成を示すブロック図。
【図４】実施例１のサーバと代替表示先探索部の構成を示すブロック図。
【図５】実施例１のサーバと代替表示先探索部の動作を示すシーケンス図。
【図６】変形例１のサーバと代替表示先探索部の構成を示すブロック図。
【図７】変形例１のサーバと代替表示先探索部の動作を示すシーケンス図。
【図８】実施例１のＭＥ近距離無線通信部の構成を示すブロック図。
【図９】実施例１のＭＥ近距離無線通信部と表示装置の動作を示すシーケンス図。
【図１０】実施例１の代替表示指示決定部の構成を示すブロック図。
【図１１】実施例１の代替表示指示決定部と表示装置の動作を示すシーケンス図。
【図１２】変形例２の代替表示指示決定部の構成を示すブロック図。
【図１３】変形例２の代替表示指示決定部と表示装置の動作を示すシーケンス図。
【図１４】変形例３の代替表示指示決定部の構成を示すブロック図。
【図１５】変形例３の代替表示指示決定部と表示装置の動作を示すシーケンス図。
【図１６】実施例２の情報表示システムの構成を示すブロック図。
【図１７】実施例２の代替表示指示決定部の構成を示すブロック図。
【図１８】実施例２の代替表示指示決定部と表示装置の動作を示すシーケンス図。
【図１９】実施例１の代替表示先リストの例を示す図。
【図２０】実施例１の判定用ＤＢに記憶されるテーブルの例を示す図。
【発明を実施するための形態】
【００１０】
以下、本発明の実施の形態について、詳細に説明する。なお、同じ機能を有する構成部には同じ番号を付し、重複説明を省略する。
【００１１】
以下、本明細書で用いられる用語を解説する。
＜端末装置＞
本明細書では、通信機能を有する携帯可能な機器全てを端末装置と呼ぶ。端末装置は携帯電話、ＰＤＡ、パーソナルコンピュータなどを含む概念である。
【００１２】
＜本発明の概要＞
以下、図１、図２を参照して本発明の概要を説明する。図１は本発明の情報表示システムの概略を示す図である。図２は本発明の情報表示システムに用いられる表示装置の例を示す図である。
【００１３】
図１に示す通り、本発明の情報表示システムは、サーバと、端末装置と、表示装置とで構成される。本発明の情報表示システムにはサーバ、端末装置は１つのみ存在すればよいが、表示装置は複数必要となる。表示装置は、様々な地域に点在しているものとする。サーバと端末装置、端末装置と表示装置はネットワーク（無線ＬＡＮ網、セルラー網など）によって相互に通信可能である。端末装置と表示装置とは、近距離無線通信、例えばブルートゥース（登録商標）によって通信可能である。近距離無線通信は表示装置と端末装置の間の距離（装置間距離）の測定に用いられる。本発明の情報表示システムは、端末装置が端末装置近傍の表示装置にネットワーク（無線ＬＡＮ網）を介してイベント情報を送信し、端末装置近傍にある表示装置が、受信したイベント情報を端末装置のユーザ向けに表示することを目的としている。イベント情報とは、端末装置に発生した特定のイベント（例えばメール受信情報、着信情報）に関する情報である。端末装置のユーザは、端末装置を鞄やポケットにしまったままであっても、自身の近傍にある表示装置を介して、イベント情報に気付くことができるため、ユーザの利便性が高まる。また、本発明では端末装置が周囲の状況を評価して、イベント情報の表示方法を最適化するため、ユーザ個人の情報が、長時間に渡り不特定多数の人間に閲覧されるような状態を防ぐ。
【００１４】
表示装置は、端末装置と無線ＬＡＮ方式で通信可能であり、端末装置と近距離無線通信により通信することができ、表示画面を有する装置であれば何であっても良く、特に制限はない。例えば図２に示す通り、表示装置はデジタルサイネージ（公衆ディスプレイ）に類するものであっても良いし、テレビやパソコンに類する機器でも良い。また、図２に示すようにイベントが着信情報である場合には、「不在着信○件あります」、イベントがメール受信である場合には「未読メールあり」、現在着信中である場合に「着信中」などと表示することができる。また、１つの表示装置に複数の端末装置のイベント情報を表示する場合に備えて、端末装置のユーザを識別する記号を付すことができる。図２の例では、黒星印である。このように、ユーザを識別する記号をイベント情報に付することで、ユーザは表示装置に表示されるイベント情報が自分宛てのものであるか、他人宛てのものであるかを知ることができる。
【実施例１】
【００１５】
以下、実施例１、および実施例１の変形例にかかる情報表示システムについて、図３から図１５を参照して詳細に説明する。図３は本実施例およびその変形例１〜３の情報表示システム１００００（１００００’、１００００’’、１００００’’’）の構成を示すブロック図である。図４は本実施例のサーバ１０と代替表示先探索部１１０の構成を示すブロック図である。図５は本実施例のサーバ１０と代替表示先探索部１１０の動作を示すシーケンス図である。
【００１６】
図３に示す通り、本実施例の情報表示システム１００００は、サーバ１０と、端末装置１００と、表示装置１０００とを備える。変形例１の情報表示システム１００００’は、サーバ１０と、端末装置１００の一部を変形した端末装置１００’と、表示装置１０００とを備える。変形例２の情報表示システム１００００’’は、サーバ１０と、端末装置１００の一部を変形した端末装置１００’’と、表示装置１０００とを備える。変形例３の情報表示システム１００００’’’は、サーバ１０と、端末装置１００の一部を変形した端末装置１００’’’と、表示装置１０００とを備える。
【００１７】
本実施例の端末装置１００は代替表示先探索部１１０と、ＭＥ近距離無線通信部１２０と、ＭＥネットワーク接続部１３０と、判定用ＤＢ１４０と、代替表示指示決定部１５０と、代替表示指示送信部１６０とを備える。変形例１の端末装置１００’は、代替表示先探索部１１０を変形した代替表示先探索部１１０’を備え、その他の構成部は、すべて本実施例の端末装置１００と共通する。変形例２の端末装置１００’’は、代替表示指示決定部１５０を変形した代替表示指示決定部１５０’を備え、その他の構成部は、すべて本実施例の端末装置１００と共通する。変形例３の端末装置１００’’’は、代替表示指示決定部１５０を変形した代替表示指示決定部１５０’’を備え、その他の構成部は、すべて本実施例の端末装置１００と共通する。
【００１８】
本実施例および、その変形例１〜３において共通する表示装置１０００は、ＤＰ近距離無線通信部１２００と、ＤＰネットワーク接続部１３００と、代替表示指示受信部１５００と、画面制御部１６００と、イベント情報メモリ１７００と、表示部１８００とを備える。
【００１９】
図４に示す通り、本実施例および、その変形例１〜３において共通するサーバ１０は、代替表示先リスト要求受信部１３と、代替表示先データベース１４と、リスト生成部１５と、代替表示先リスト送信部１６とを備える。代替表示先データベース１４には、表示装置１０００とその設置位置が対応付けられて記憶されている。設置位置は、例えば緯度経度情報等で良い。
【００２０】
本実施例の端末装置１００が備える代替表示先探索部１１０は、位置情報取得手段１１１と、位置変化判定手段１１２と、代替表示先リスト要求送信手段１１３と、代替表示先リスト受信手段１１４と、代替表示先リスト記憶手段１１５と、代替表示先決定手段１１６と、タイマ手段１１７とを備える。
【００２１】
以下、端末装置１００がサーバ１０から代替表示先リストを取得する際の手順について説明する。この手順では、端末装置１００はサーバ１０が管理する表示装置１０００のデータベースのうち自端末に近接するいくつかの表示装置１０００を特定した代替表示先リストを取得することができる。代替表示先リストに示された表示装置１０００は、後述するイベント情報の代替表示先の候補となる。図５に示す通り、位置情報取得手段１１１は、端末装置１００の現在位置情報を取得する（ＳＳ１１１）。現在位置情報としては、後述するＧＰＳ情報を用いても良いし、基地局情報でも良い。現在位置情報の取得タイミングについては、例えばタイマ手段１１７に所定時間をプリセットしておき、当該所定時間経過毎に実行することとしておけばよい（オプション（所定時間経過））。位置変化判定手段１１２は、所定時間前の位置情報と最新の位置情報とを比較して、差分が所定の値以上となるかを判定する（ＳＳ１１２）。これは、端末装置１００の移動の有無を検出するために必要な手順である。端末装置１００の位置が大きく変わっていなければ、後述する代替表示先リストを再取得すること無く、以前に取得した代替表示先リストを使用することができる。端末装置１００の所定時間前の位置情報と最新の位置情報との差分が所定の値以上となった場合（オプション（所定値以上変位））、代替表示先リスト要求送信手段１１３は、端末装置１００の現在位置情報を含む代替表示先リスト要求をサーバ１０に送信する（ＳＳ１１３）。
【００２２】
サーバ１０の代替表示先リスト要求受信部１３は、代替表示先リスト要求を受信する（Ｓ１３）。リスト生成部１５は、受信した代替表示先リスト要求に含まれる端末装置１００の現在位置情報に基づいて、前述の代替表示先データベース１４から、代替表示先リストを選び出す（Ｓ１５）。代替表示先リストとは、端末装置１００の現在位置から所定の距離にある表示装置１０００の一覧を示すリストである。所定の距離は、例えば１５０ｍ以内などと設定することができる。図１９に代替表示先リストの例を示す。図１９に示すように、代替表示先リストは、代替表示先候補としての識別子（代替表示先候補番号）、表示装置ＩＤ、ＮＷ接続先（アクセスポイントＩＤであるＥＳＳＩＤ等）、代替表示先ＩＰアドレス、代替表示指示送信契機距離などから構成される。代替表示指示送信契機距離とは、表示装置の表示部のサイズや、表示装置の設置環境などに基づいて予め各表示装置に設定された距離のことである。このパラメータの使用方法に関しては後述する。代替表示先リスト送信部１６は、代替表示先リストを端末装置１００に送信する（Ｓ１６）。
【００２３】
端末装置１００の代替表示先探索部１１０の代替表示先リスト受信手段１１４は、サーバ１０から代替表示先リストを受信する（ＳＳ１１４）。代替表示先リスト受信手段１１４は、受信した代替表示先リストを代替表示先リスト記憶手段１１５に記憶する（ＳＳ１１５）。以上が本施例における代替表示先リスト取得手順である。
【００２４】
以下、図６、図７を参照して、上述の代替表示先探索部１１０を代替表示先探索部１１０’に変形した変形例１における代替表示先探索部１１０’について説明する。図６は本変形例の代替表示先探索部１１０’の構成を示すブロック図である。図７は本変形例の代替表示先探索部１１０’の動作を示すシーケンス図である。図６に示す通り、代替表示先探索部１１０’は、位置情報取得手段１１１と、代替表示先リスト要求送信手段１１３と、代替表示先リスト受信手段１１４と、代替表示先リスト記憶手段１１５と、代替表示先決定手段１１６と、タイマ手段１１７とを備える。代替表示先探索部１１０’が位置変化判定手段１１２を備えない点のみが代替表示先探索部１１０との相違点である。図７に示す通り、位置情報取得手段１１１は、端末装置１００の現在位置情報を取得する（ＳＳ１１１）。現在位置情報の取得タイミングについては、例えばタイマ手段１１７に所定時間をプリセットしておき、当該所定時間経過毎に実行することとしておけばよい（オプション（所定時間経過））。以下、端末装置１００の位置が所定値以上変位したか否かの判定を行うこと無く、代替表示先リスト要求送信手段１１３は、端末装置１００の現在位置情報を含む代替表示先リスト要求をサーバ１０に送信する（ＳＳ１１３）。以下ステップＳ１３、Ｓ１５、Ｓ１６、サブステップＳＳ１１４、サブステップＳＳ１１５が実行される。従って、本変形例では、端末装置１００’の位置が変位したか否かに関係なく所定時間経過毎に代替表示先リストが取得される。
【００２５】
以下、実施例１の情報表示システム１０００の説明に戻る。図８、図９を参照して装置間距離の推定手順、代替表示装置の決定手順、ネットワーク接続手順、イベント情報送信手順について説明する。この手順では、近接無線通信（例えばブルートゥース（登録商標））を用いることにより、端末装置１００と表示装置１０００との装置間距離を知ることができる。装置間距離は、表示装置１０００が代替表示装置として機能し得るかどうかの判断材料となる。より具体的には、装置間距離の値が小さければ小さいほど、端末装置１００と表示装置１０００とは近接していることになるため、端末装置１００のユーザと表示装置１０００とが近接している可能性が高い。端末装置１００のユーザに近接している可能性が高い表示装置１０００は、端末装置１００のユーザが閲覧する可能性が高いため、代替表示装置として適している。図８は本実施例のＭＥ近距離無線通信部１２０の構成を示すブロック図である。図９は本実施例のＭＥ近距離無線通信部１２０と表示装置１０００の動作を示すシーケンス図である。
【００２６】
図８に示す通り、本実施例の端末装置１００のＭＥ近距離無線通信部１２０は、近距離無線通信手段１２１と、距離推定手段１２２と、電波強度減衰テーブル１２３とを備える。電波強度減衰テーブル１２３には、近距離無線通信における電波の発信源と受信装置との間の距離と電波強度の減衰との関係（実測値、理論値の何れでも良い）を記憶してある。図９に示すように、前述のリスト取得手順が実行済みの場合（オプション（リスト取得））、ＭＥ近距離無線通信部１２０の近距離無線通信手段１２１は、測距用信号要求信号を送信する（ＳＳ１２１ａ）。この測距用信号は、端末装置１００と十分に近接している表示装置１０００は受信できるが、端末装置１００に近接していない表示装置１０００は受信することが出来ない。例えば前述のブルートゥース（登録商標）であれば通信可能距離は１０〜１００ｍ程度である。
【００２７】
端末装置１００の近傍に位置する表示装置１０００のＤＰ近距離無線通信部１２００は、測距用信号要求信号を受信する（Ｓ１２００ａ）。測距用信号要求信号を受信したＤＰ近距離無線通信部１２００は、端末装置１００に測距用信号と表示装置ＩＤとを送信する（Ｓ１２００ｂ）。表示装置ＩＤは、例えば距離測定に用いるブルートゥース（登録商標）ユニットがもつＭＡＣアドレスとすることができる。近距離無線通信手段１２１は、端末装置１００の近傍に存在する表示装置１０００から測距用信号と表示装置ＩＤとを受信する（ＳＳ１２１ｂ）。距離推定手段１２２は、受信した測距用信号の電界強度を測定し、電界強度に基づいて装置間距離を推定する（ＳＳ１２２）。推定された装置間距離は、対応する表示装置１０００の表示装置ＩＤとともに、代替表示先探索部１１０の代替表示先決定手段１１６に送信される。代替表示先決定手段１１６は、代替表示先リスト記憶手段１１５に記憶されている代替表示先リストに記載された表示装置１０００の表示装置ＩＤと、装置間距離とともに距離推定手段１２２から出力された表示装置ＩＤとを参照して、代替表示先リストに記載された各表示装置１０００に対応する装置間距離を割り当てる。ここで、代替表示先リストに示された表示装置１０００の全てに対して装置間距離が推定されているとは限らない。例えば端末装置１００の現在位置から１５０ｍ以内にある表示装置１０００が全て代替表示リストに示されることとし、前述の近距離無線通信において端末装置１００から５０ｍ以内に設置された表示装置１０００のみが測距用信号の送信に成功したとすると、代替表示リストに示される表示装置１０００のうち、端末装置１００から５０ｍ以上離れているものに関しては、装置間距離の推定値が得られないこととなる。この場合、当該表示装置１０００に対しては、装置間距離の割り当てが行われない。代替表示先リストに示された各表示装置１０００であって、代替表示先リストに設定されている代替表示指示送信契機距離よりも装置間距離の推定値が小さい表示装置のうち、最も小さい装置間距離が割り当てられた表示装置１０００が代替表示先となる表示装置（代替表示装置）として最適である。従って、代替表示先決定手段１１６は、代替表示先リストに示された各表示装置１０００であって、代替表示先リストに設定されている代替表示指示送信契機距離よりも装置間距離の推定値が小さい表示装置のうち、最も小さい装置間距離が割り当てられた表示装置１０００を代替表示装置に選択する（ＳＳ１１６）。なお、代替表示先決定手段１１６は、代替表示指示送信契機距離を用いずに、代替表示先リストに示された各表示装置１０００のうち、単純に最も小さい装置間距離が割り当てられた表示装置１０００を代替表示装置に選択してもよい。
【００２８】
また、代替表示先決定手段１１６は、代替表示先リストに設定されている代替表示指示送信契機距離よりも装置間距離の推定値が小さい表示装置１０００のうち、割り当てられた装置間距離が小さいものから順に所定の複数の表示装置１０００をすべて代替表示装置に選択してもよい。また、代替表示先決定手段１１６は、代替表示指示送信契機距離を用いずに、代替表示先リストに示された各表示装置１０００のうち、割り当てられた装置間距離が小さいものから順に所定の複数の表示装置１０００をすべて代替表示装置に選択してもよい。
【００２９】
サブステップＳＳ１１６において代替表示装置が決定された場合（オプション（代替表示装置決定））、端末装置１００のＭＥネットワーク接続部１３０は、代替表示先リストから取得できるＥＳＳＩＤを持つアクセスポイントとネゴシエーションを実行し、ネットワーク（ＷＬＡＮ網）を介してＤＰネットワーク接続部１３００と通信状態を確立する（Ｓ１３０ａ）。同様に、代替表示装置に選択された表示装置１０００のＤＰネットワーク接続部１３００は、端末装置１００のＭＥネットワーク接続部１３０とネットワーク（ＷＬＡＮ網）のアクセスポイントでのネゴシエーション処理を介して、通信状態を確立する（Ｓ１３００ａ）。なお、上述したように所定の複数の代替表示装置が選ばれるようにした場合、これら複数の代替表示装置のすべてに対して通信状態を確立し、後述するイベント情報の送信を行うこととしても良い。ここで、端末装置１００に、前述したイベントが発生している場合（オプション（接続＋イベント情報あり））、端末装置１００のＭＥネットワーク接続部１３０は、代替表示装置に該当する表示装置１０００のＤＰネットワーク接続部１３００にイベント情報を送信する（Ｓ１３０ｂ）。代替表示装置に該当する表示装置１０００のＤＰネットワーク接続部１３００は、端末装置１００のＭＥネットワーク接続部１３０からイベント情報を受信する（Ｓ１３００ｂ）。代替表示装置に該当する表示装置１０００のＤＰネットワーク接続部１３００は、受信したイベント情報をイベント情報メモリ１７００に記憶する（Ｓ１７００）。
【００３０】
次に、図１０、図１１を参照して、表示内容の決定手順、表示指示の送信手順、イベント情報の表示手順について詳細に説明する。これらは、代替表示装置に送信済みのイベント情報を端末装置、代替表示装置の状況に応じて最適に表示制御するために必要な手順である。図１０は本実施例の代替表示指示決定部１５０の構成を示すブロック図である。図１１は本実施例の代替表示指示決定部１５０と表示装置１０００（代替表示装置）の動作を示すシーケンス図である。図１０に示すように本実施例の端末装置１００の代替表示指示決定部１５０は、エリア種別記憶手段１５１と、ＧＰＳ情報取得手段１５２と、エリア種別判定手段１５３と、イベント種別判定手段１５４と、代替表示内容決定手段１５５とを備える。エリア種別記憶手段１５１には、ＧＰＳ情報に対応して予め定められたエリア種別が記憶されている。エリア種別とは、当該エリアが公共空間に属する可能性が高いか、プライベートな空間に属する可能性が高いかの観点から付与された属性を意味する。エリア種別として、例えば当該エリアが商業地域であるか、住宅地域であるかを用いることができる。また、当該エリアに建物が存在するか、存在しないかをエリア種別に加えて、商業地域（屋外）、商業地域（屋内）、住宅地域（屋外）、住宅地域（屋内）の４分類とすることもできる。ＧＰＳ情報が示す端末装置１００の現在位置が商業地域であれば、端末装置１００のユーザが公共空間（不特定多数の人間が往来する空間）に存在する可能性が高い。一方、ＧＰＳ情報が示す端末装置１００の現在位置が住宅地域であれば、端末装置１００のユーザがプライベートな空間（不特定多数の人間が往来しない空間）に存在する可能性が高い。図１１に示すように、端末装置１００と代替表示装置に該当する表示装置１０００との間でネットワーク接続が確立した場合（オプション（ＮＷ接続））、ＧＰＳ情報取得手段１５２は、端末装置１００の現在位置を示すＧＰＳ情報を取得する（ＳＳ１５２）。エリア種別判定手段１５３は、前述のエリア種別記憶手段１５１を参照して、取得したＧＰＳ情報に対応するエリア種別を判定する（ＳＳ１５３）。イベント種別判定手段１５４は、端末装置１００で発生したイベントの種別（例えば、メール受信、着信情報の別）を判定する（ＳＳ１５４）。エリア種別、イベント種別の各組み合わせに対応する表示内容は予め決定されており、テーブルとして判定用ＤＢ１４０に記憶されているものとする。代替表示内容決定手段１５５は、判定したエリア種別、イベントの種別に基づいて、判定用ＤＢ１４０を参照して、代替表示装置への表示内容を決定する（ＳＳ１５５）。表示内容とは、代替表示装置へのイベント情報の表示の方法を具体的に定義する情報である。表示内容とは、例えば表示の可否、表示する時間の長さ、表示するサイズなどである。従って、前述のエリア種別が商業地域であれば、表示を許可しないようにしたり、表示するとしても、表示する時間を短くしたり、表示するサイズを小さくしたりすることが可能である。一方、エリア種別が住宅地域である場合は、不特定多数の人間が往来する環境にある可能性は少ないと判断して、エリア種別が商業地域である場合と比較して、長い時間、大きめのサイズで表示するようにしてもよい。また、イベントの種別がさほど重要でなければ、表示を許可しなくても良いが、イベントの種別が重要なものである場合（例えば着信情報が１０件もあるような場合）には、表示を許可した上で、表示時間を長く、表示サイズを大きく表示することとしても良い。
【００３１】
表示内容が決定された場合（オプション（表示内容決定））、代替表示指示送信部１６０は、表示内容を含む表示指示を代替表示装置に該当する表示装置１０００に送信する（Ｓ１６０）。代替表示装置に該当する表示装置１０００の代替表示指示受信部１５００は、端末装置１００から表示指示を受信する（Ｓ１５００）。代替表示装置に該当する表示装置１０００の画面制御部１６００は、表示指示に基づいて、イベント情報に関する表示データを生成する（Ｓ１６００）。代替表示装置に該当する表示装置１０００の表示部１８００は、表示データを表示する（Ｓ１８００）。以上のように、本実施例においては、端末装置１００が端末装置１００の現在位置を示すＧＰＳ情報、イベント種別に基づいて、表示内容を決定することとしたが、表示内容の決定に用いるパラメータは前述のＧＰＳ情報などに限定されることなく、端末装置１００の状態を示す任意のパラメータ、または代替表示装置の状態を示す任意のパラメータ、または発生イベントの状態を示す任意のパラメータを用いることができる。
【００３２】
パラメータのバリエーションについて検討した変形例２の情報表示システム１００００’’について、図１２、図１３を参照して説明を加える。図１２は本変形例の代替表示指示決定部１５０’の構成を示すブロック図である。図１３は本変形例の代替表示指示決定部１５０’と表示装置１０００（代替表示装置）の動作を示すシーケンス図である。図１２に示すように本変形例の端末装置１００’’の代替表示指示決定部１５０’は、エリア種別記憶手段１５１と、ＧＰＳ情報取得手段１５２と、エリア種別判定手段１５３と、イベント種別判定手段１５４と、代替表示内容決定手段１５５と、加速度センサ１５６と、傾きセンサ１５７と、移動状態判定手段１５８とを備える。本変形例の代替表示指示決定部１５０’は、実施例１の端末装置１００の代替表示指示決定部１５０が備えない加速度センサ１５６と、傾きセンサ１５７と、移動状態判定手段１５８とを備える。その他の構成部は全て共通している。本変形例では、端末装置１００’’の状態を示すパラメータとして端末装置１００’’の加速度情報、傾き情報を用いる。具体的には、加速度情報、傾き情報から端末装置１００’’のユーザが、現在静止しているか、歩行中であるか、走っているか、もしくは電車で移動中であるかの別（移動状態）を判定し、当該移動状態に基づいて代替表示内容決定手段１５５が表示内容を決定する。例えば、端末装置１００’’のユーザが現在静止中であれば代替表示装置は閲覧される可能性が高いが、ユーザが歩いていたり走っていたりすると、閲覧の可能性が低くなる。一方、端末装置１００’’のユーザが電車で移動中である場合、既にステップＳ１３０ａなどで、代替表示装置との接続が成功しているため、当該代替表示装置は、電車内に設置された公衆ディスプレイの類である可能性が高い。この場合、ユーザと電車内の公衆ディスプレイは共に所定の速度で移動しているものの、ユーザと電車内の公衆ディスプレイの相対的な位置関係は変動が少なく、前述のユーザが静止している状態に近い。従って、この場合は代替表示装置が閲覧される可能性が高い。閲覧の可能性が高い場合の表示内容を、表示可、表示時間長め、表示サイズ大きめとする一方、閲覧の可能性が低い場合の表示内容を表示不可と設定したり、表示可であっても表示時間を短め、あるいは表示サイズを小さめに設定しても良い。
【００３３】
図１３に示すように本変形例の移動状態判定手段１５８は、加速度センサ１５６から加速度情報と、傾きセンサ１５７から端末装置１００’’の傾斜角度とを取得して、当該加速度情報、傾斜角度の時系列変化から、端末装置１００’’のユーザが静止しているか、歩行中であるか、走っているか、電車移動中であるかなど端末装置１００’’の移動の状態を示す移動状態を判定する（ＳＳ１５８）。実施例１と共通する構成部の動作であるサブステップＳＳ１５２〜ＳＳ１５４は実施例１と同様に実行される。エリア種別、イベント種別、移動状態の各組み合わせに対応する表示内容は予め決定されており、テーブルとして判定用ＤＢ１４０に記憶されているものとする。代替表示内容決定手段１５５は、判定したエリア種別、イベントの種別に加え、前述の移動状態に基づいて、判定用ＤＢ１４０を参照して、代替表示装置への表示内容を決定する（ＳＳ１５５）。以下ステップＳ１６０、Ｓ１５００、Ｓ１６００、Ｓ１８００が実施例１と同様に実行される。
【００３４】
以下、パラメータの他のバリエーションについて検討した変形例３の情報表示システム１００００’’’について、図１４、図１５を参照して説明を加える。図１４は本変形例の代替表示指示決定部１５０’’の構成を示すブロック図である。図１５は本変形例の代替表示指示決定部１５０’’と表示装置１０００（代替表示装置）の動作を示すシーケンス図である。図１４に示すように本変形例の端末装置１００’’’の代替表示指示決定部１５０’’は、エリア種別記憶手段１５１と、ＧＰＳ情報取得手段１５２と、エリア種別判定手段１５３と、イベント種別判定手段１５４と、代替表示内容決定手段１５５と、加速度センサ１５６と、傾きセンサ１５７と、移動状態判定手段１５８と、表示装置種別判定手段１５９と、種別ＤＢ１５９ａとを備える。本変形例の代替表示指示決定部１５０’’は、変形例２の端末装置１００’’の代替表示指示決定部１５０’が備えない表示装置種別判定手段１５９と、種別ＤＢ１５９ａとを備える。その他の構成部は全て共通している。種別ＤＢ１５９ａには、前述した表示装置ＩＤと表示装置１０００の種別が対応して予め記憶されている。本変形例では、パラメータとして代替表示装置に該当する表示装置１０００の種別を用いる。種別とは、例えば図２で示したような表示装置１０００の機器種別のことで、代替表示装置をデジタルサイネージ、ＴＶ、ＰＣなどの種別のいずれかに判定することができる。当該種別に基づいて代替表示内容決定手段１５５が表示内容を決定する。代替表示装置がデジタルサイネージであれば、当該代替表示装置は不特定多数の人間に閲覧される可能性が高い。一方ＰＣであれば、ユーザのオフィスか、ユーザ自宅に設置されているＰＣである可能性が高く、不特定多数の人間に閲覧される可能性がデジタルサイネージの場合と比較して小さくなる。例えば代替表示装置がデジタルサイネージ（公衆ディスプレイ）である場合には、表示自体を行わないこととしても良いし、あるいは表示時間を短く、表示サイズを小さくしても良い。代替表示装置がＰＣであれば、これがユーザの勤務するオフィスの自席に設置されている場合（準プライベートな環境）、ユーザの自宅に設置されている場合（プライベートな環境）などの可能性が高くなるため、代替表示装置が公衆ディスプレイである場合よりも、表示時間を長く、表示サイズを大きくしても良い。また、代替表示装置がＴＶであれば、ユーザの自宅に設置されている（プライベートな環境である）可能性が高くなるため、代替表示装置がＰＣである場合よりも表示時間を長く、表示サイズを大きくしても良い。
【００３５】
図１５に示すように本変形例の表示装置種別判定手段１５９は、代替表示先探索部１１０から代替表示装置に該当する表示装置１０００の表示装置ＩＤを取得して、種別ＤＢ１５９ａを参照して、取得した表示装置ＩＤと対応する表示装置の種別を取得することで、代替表示装置に該当する表示装置１０００の種別を判定する（ＳＳ１５９）。実施例１と共通する構成部の動作であるサブステップＳＳ１５２〜ＳＳ１５４は実施例１と同様に実行される。エリア種別、イベント種別、移動状態、表示装置種別の各組み合わせに対応する表示内容は予め決定されており、テーブルとして判定用ＤＢ１４０に記憶されているものとする。判定用ＤＢ１４０に記憶されるテーブルの例を図２０に示す。図２０に示すように、イベント種別、エリア種別、移動状態、表示装置種別の各組み合わせに対して、表示内容であるテキスト、画像指定、表示時間指定、表示サイズの各項目があらかじめ決定されて、判定用ＤＢ１４０に予め記憶されている。テキストは表示される文を定義したもので、例えば未読メールが１件あるときには「未読メールがあります。」であるとか「未読メールあり」、未読メールが複数件あるときには「未読メールが○件あります。」であるとか「未読メール○件あり」、不在着信が１件あるときには「不在着信があります。」であるとか「不在着信あり」などの文章内容を定義しておけばよい。画像指定は、上述の文に添えて、または上述の文に一体化させて表示する画像を定義するもので、これらの画像ファイルは判定用ＤＢ１４０またはいずれかの記憶領域に予め記憶しておく。図２０に示すように画像はイベント種別によって異ならせることにしても良い。例えば、図２０の例では、イベント種別「未読メール」に対して、画像ファイル○○．ｊｐｇが割り当てられており、イベント種別「不在着信」に対して、画像ファイル△△．ｊｐｇが割り当てられており、イベント種別「着信中」に対して、画像ファイル××．ｊｐｇが割り当てられている。また、前述したように、ユーザが自身を識別するために使用される記号（前述の例では黒星印）を画像ファイルとして記憶しておき、判定用ＤＢ１４０のテーブル上で指定しても良い。表示時間指定は、イベント情報の表示時間を指定するものである。表示時間は例えばイベント種別の重要度が高くなるほど長くなるように設定することもできる。図２０の例では、未読メール（１件）に対する表示時間よりも、未読メール（２件以上）に対する表示時間が長く設定されている。また、表示時間は移動状態によって変更することもできる。端末装置のユーザが歩行中であれば、端末装置のユーザは、代替表示装置の前をすぐに通り過ぎる可能性が高いため、表示時間を長くする必要はない。反対に、端末装置のユーザが停止していれば、表示時間を長く設定して、ユーザの目に触れる可能性を高めることができる。表示サイズは、イベント種別の重要度が高くなるほど大きく表示すればよい。また、表示装置種別が、公衆ディスプレイのように、他の種別の表示装置（ＰＣやＴＶなど）と比較して大きな表示部を備えている場合には、イベント情報の表示サイズを相対的に大きく設定しておく必要がある。
【００３６】
代替表示内容決定手段１５５は、判定したエリア種別、イベントの種別、移動状態に加え、表示装置種別に基づいて、判定用ＤＢ１４０を参照して、代替表示装置への表示内容を決定する（ＳＳ１５５）。以下ステップＳ１６０、Ｓ１５００、Ｓ１６００、Ｓ１８００が実施例１と同様に実行される。
【００３７】
このように、本実施例、および本実施例の変形例１〜３の情報表示システム１００００（１００００’、１００００’’、１００００’’’）によれば、端末装置１００（１００’、１００’’、１００’’’）のＭＥ近距離無線通信部１２０が、表示装置１０００と近距離無線通信を実行して、装置間距離を推定するため、ユーザの目に触れる可能性の高い、端末装置１００近傍の表示装置１０００を代替表示装置として選択することができ、ユーザの利便性が高まる。また、端末装置１００（１００’、１００’’、１００’’’）の代替表示指示決定部１５０（１５０’、１５０’’）が、端末装置１００（１００’、１００’’、１００’’’）の状態を示す任意のパラメータ、または代替表示装置１０００の状態を示す任意のパラメータ、または発生イベントの状態を示す任意のパラメータを用いて、ユーザの周囲環境を適切に予測し、ユーザの周囲環境に適した表示内容を決定するため、ユーザの利便性をさらに高めることができる。
【実施例２】
【００３８】
次に、図１６、図１７、図１８を参照して、実施例１の情報表示システム１００００に動画情報の解析機能を付加した実施例２の情報表示システムについて説明する。図１６は本実施例の情報表示システム２００００の構成を示すブロック図である。図１７は本実施例の代替表示指示決定部２５０の構成を示すブロック図である。図１８は本実施例の代替表示指示決定部２５０と表示装置２０００の動作を示すシーケンス図である。
【００３９】
図１６に示す通り、本実施例の情報表示システム２００００は、サーバ１０と、端末装置２００と、表示装置２０００とを備える。本実施例のサーバ１０は実施例１のサーバ１０と同じものである。本実施例の端末装置２００は代替表示先探索部１１０と、ＭＥ近距離無線通信部１２０と、ＭＥネットワーク接続部１３０と、カメラ情報受信部２２０と、代替表示指示決定部２５０と、代替表示指示送信部１６０とを備える。実施例１との違いは、本実施例の端末装置２００は、実施例１の端末装置１００が備える判定用ＤＢ１４０を備えない点、本実施例の端末装置２００は、実施例１の端末装置１００が備えないカメラ情報受信部２２０を備える点である。本実施例の表示装置２０００は、ＤＰ近距離無線通信部１２００と、ＤＰネットワーク接続部１３００と、ＷＥＢカメラ２１００と、カメラ情報送信部２２００と、代替表示指示受信部１５００と、画面制御部１６００と、イベント情報メモリ１７００と、表示部１８００とを備える。実施例１との違いは、本実施例の表示装置２０００は、実施例１の表示装置１０００が備えないＷＥＢカメラ２１００と、カメラ情報送信部２２００を備える点である。また、図１７に示すように、本実施例の端末装置２００の代替表示指示決定部２５０は、顔検出手段２５１と、代替表示内容決定手段２５４とを備える。表示装置２０００のＷＥＢカメラ２１００は、表示装置２０００付近の動画情報を取得する。図１８に示す通り、表示装置２０００のカメラ情報送信部２２００は、自身が代替表示装置に該当する場合に、所定時間経過毎に（オプション（所定時間経過））、動画情報を端末装置２００に送信する（Ｓ２２００）。カメラ情報受信部２２０は、代替表示装置に該当する表示装置２０００付近の状況を示す動画情報を受信する（Ｓ２２０）。端末装置２００の代替表示指示決定部２５０の顔検出手段２５１は、受信した動画情報に人間の顔が存在しているか否かを示すパラメータを取得する（ＳＳ２５１）。顔検出手段２５１は公知の顔検出アルゴリズムを用いる。一般的な顔検出アルゴリズムでは、対象の画像一枚に対して、画像全体に顔の大きさの探索窓(顔検出処理を行う判定領域)を走査して、探索窓が通過する座標ごとに「探索窓内の画像が、顔画像であるどうか」の判定を実行する。探索窓領域ごとの判定処理を画像中すべてに行うことで、最終的に顔の領域だと判定された探索窓の場所を、検出した顔の位置として認識する。探索窓ごとの判定には、テンプレートマッチングや機械学習を利用したパターン認識が用いられる。
【００４０】
代替表示指示決定部２５０の代替表示内容決定手段２５４は、人間の顔が存在しているか否かを示すパラメータに基づいて代替表示装置への表示内容を決定する（ＳＳ２５４）。例えば、パラメータが顔検出なしを示す場合、代替表示装置の周辺には、端末装置２００のユーザを含めた人間が存在しないか、もしくは人間が存在しても、少なくとも代替表示装置の表示画面を見てはいないことが明らかであるので、この場合、代替表示指示決定部２５０は、表示内容として、表示自体を行わないことを決定しても良い。反対に、パラメータが顔検出ありを示す場合、端末装置２００のユーザが代替表示装置を閲覧している可能性があるため、代替表示指示決定部２５０は、表示内容として、表示を行うことを決定しても良い。以上、説明した顔検出機能は、例えば人型、人影の検出機能に代えることもできる。または、もっと粗い情報として、代替表示装置周辺を動くものが存在するかを検出しても良い。また、本実施例で新たに付加された、構成要件（ＷＥＢカメラ２１００、カメラ情報送信部２２００、カメラ情報受信部２２０）は、実施例１のみならず、変形例１〜３の何れに対しても付加することができる。この場合、代替表示指示決定部は、判定用ＤＢ１４０を用いた表示内容の決定と並列に、顔検出、人型検出、動くもの検出などによって得たパラメータによる表示内容の決定を行い、これらを組み合わせて表示内容の決定を行うことができる。例えば、判定用ＤＢ１４０により表示内容が決定されたとしても、動画情報から顔が検出されなかった場合には、顔検出パラメータを優先して、表示自体を行わないこととすることができる。一方、動画情報から顔が検出された場合には、判定用ＤＢ１４０の参照により決定された表示内容に基づいて表示内容を決定しても良い。
【００４１】
このように、本実施例の情報表示システム２００００によれば、実施例１の効果に加えて、ユーザを含む人間の存在を表すパラメータを用いて表示内容を決定するため、ユーザが代替表示装置を閲覧している可能性を考慮して、適切にイベント情報の表示を行うことができる。
【００４２】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００４３】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００４４】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００４５】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４６】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００４７】
また、この形態では、コンピュータ上で所定のプログラムを実行させることにより、本装置を構成することとしたが、これらの処理内容の少なくとも一部をハードウェア的に実現することとしてもよい。
【図１】
0005668015.tif 000002
【図２】
0005668015.tif 000003
【図３】
0005668015.tif 000004
【図４】
0005668015.tif 000005
【図５】
0005668015.tif 000006
【図６】
0005668015.tif 000007
【図７】
0005668015.tif 000008
【図８】
0005668015.tif 000009
【図９】
0005668015.tif 000010
【図１０】
0005668015.tif 000011
【図１１】
0005668015.tif 000012
【図１２】
0005668015.tif 000013
【図１３】
0005668015.tif 000014
【図１４】
0005668015.tif 000015
【図１５】
0005668015.tif 000016
【図１６】
0005668015.tif 000017
【図１７】
0005668015.tif 000018
【図１８】
0005668015.tif 000019
【図１９】
0005668015.tif 000020
【図２０】
0005668015.tif 000021